(57)【要約】【課題】  セルガイド３３の搬送、取付等を簡単にして、コンテナ船１の造船に要する一連の作業の能率の向上を図ること。【解決手段】  船倉２３内に多数のセルガイド群３３Ｇが船軸方向及び船舷方向へ列状に配設され、各々のセルガイド群３３Ｇは上下方向へ延びた４本のセルガイド３３をからそれぞれなって、各々のセルガイド３３は、上下に分割された複数の分割ガイド３７，３９からそれぞれなり、各々のセルガイド３３における上下に隣接する一対の分割ガイド３７，３９の間にガイド間隙４１がそれぞれ形成され、船倉２３内に多段多列にコンテナ３を載置したときに、ガイド間隙４１がコンテナ金具３ａから上下に外れた高さ位置に位置するように構成されたこと。【選択図】  図１
2006188084.tif 000002
【特許請求の範囲】
【請求項１】
多数のコンテナを海上輸送するコンテナ船の船倉内に立設され、前記コンテナの隅部を上下方向へ案内するコンテナ船のセルガイドにおいて、
上下方向に分割された複数の分割ガイドからなって、上下に隣接する前記分割ガイドの間にガイド間隙が形成され、
前記船倉内に多段に載置したときのコンテナの継ぎ目から前記ガイド間隙が上下に外れた高さ位置に位置するように構成されたことを特徴とするコンテナ船のセルガイド。
【請求項２】
前記船倉内に多段に前記コンテナを載置したときに、前記ガイド間隙が前記コンテナにおけるコンテナ金具から上下に外れた高さ位置に位置するように構成されたことを特徴とするコンテナ船のセルガイド。
【請求項３】
前記ガイド間隙は、前記コンテナにおけるコンテナ金具の上下方向の長さよりも短くなるように構成されたことを特徴とする請求項１又は請求項２に記載のコンテナ船のセルガイド。
【請求項４】
前記分割ガイドにおける隣接端側に、外方向へ拡がる拡がり部が形成されことを特徴とする請求項１から請求項３のうちのいずれかの請求項に記載のコンテナ船のセルガイド。
【請求項５】
コンテナ船の船倉内に多段多列に載置したコンテナの位置を保持するコンテナ船のコンテナ保持装置において、
前記船倉内に船軸方向及び船舷方向へ列状に配設され、上下方向へ延びた４本のセルガイドをからそれぞれなって、多段状の前記コンテナにおける８個の隅側のコンテナ金具をそれぞれ上下方向へ案内する多数のセルガイド群を備えており、
各々の前記セルガイドは、上下に分割された複数の分割ガイドからそれぞれなり、各々の前記分割ガイドは、内側に前記コンテナにおける前記コンテナ金具を支持可能な支持面をそれぞれ有してあって、
各々の前記セルガイドにおける上下に隣接する前記分割ガイドの間にガイド間隙がそれぞれ形成され、
前記船倉内に多段多列に前記コンテナを載置したときに、前記ガイド間隙が前記コンテナにおける前記コンテナ金具から上下に外れた高さ位置に位置するように構成されたことを特徴とするコンテナ船のコンテナ保持装置。
【請求項６】
各々の前記ガイド間隙は、前記コンテナにおける前記コンテナ金具の上下方向の長さよりも短くなるようにそれぞれ構成されたことを特徴とする請求項５に記載のコンテナ船のコンテナ保持装置。
【請求項７】
各々の前記分割ガイドにおける隣接端側に、外方向へ拡がる拡がり部がそれぞれ形成されことを特徴とする請求項５又は請求項６に記載のコンテナ船のコンテナ保持装置。
【発明の詳細な説明】
【技術分野】
【０００１】
本発明は、多数のコンテナを海上輸送するコンテナ船に用いられるコンテナ船のセルガイド及びコンテナ保持装置に関する。
【背景技術】
【０００２】
一般に、コンテナ船には、船倉内に多段多列に載置したコンテナの位置を保持するコンテナ保持装置（コンテナ船のコンテナ保持装置）が用いられている。また、前記コンテナ保持装置は、前記船倉内に船軸方向及び船舷方向へ列状に配設された多数のセルガイド群を備えており、多数の前記セルガイド群は、上下方向へ延びた４本のセルガイド（コンテナ船のセルガイド）をからそれぞれなって、多段状の前記コンテナ（多段に積載される前記コンテナ）における８個の隅側（四隅の上側と下側）のコンテナ金具をそれぞれ上下方向へ案内するものである。ここで、各々の前記セルガイドは、通常、等辺山形鋼からそれぞれなるものであって、前記セルガイドの断面形状は、Ｌ型を呈している。
【０００３】
なお、本発明に関連する先行技術として特許文献１及び特許文献２に示すものがある。
【特許文献１】特開平７−６９２７４号公報
【特許文献２】特開２００２−２４９０９５号公報
【発明の開示】
【発明が解決しようとする課題】
【０００４】
ところで、前述のように、４本のセルガイドからそれぞれなる多数の前記セルガイド群は、多段状の前記コンテナにおける８個の隅側の前記コンテナ金具をそれぞれ上下方向へ案内するものであって、前記セルガイドの長さは前記船倉内の室内高さに応じて長くなり、前記セルガイドの重量も大きくなる。そのため、前記セルガイドの搬送、取付等が厄介になって、前記コンテナ船の造船に要する一連の作業（前記セルガイドの搬送作業、前記セルガイドの取付作業を含む）が煩雑化するという問題がある。
【課題を解決するための手段】
【０００５】
本発明の第１の特徴は、多数のコンテナを海上輸送するコンテナ船の船倉内に立設され、前記コンテナの隅部を上下方向へ案内するコンテナ船のセルガイドにおいて、
上下方向に分割された複数の分割ガイドからなって、上下に隣接する前記分割ガイドの間にガイド間隙が形成され、
前記船倉内に多段に載置したときのコンテナの継ぎ目から前記ガイド間隙が上下に外れた高さ位置に位置するように構成されたことである。
【０００６】
本発明の第１の特徴によると、前記セルガイドは、上下に分割された複数の前記分割ガイドからそれぞれなるため、前記セルガイドを複数にそれぞれ分けることができ、前記分割ガイド単位で前記セルガイドを取り扱うことができる。
【０００７】
また、上下に隣接する前記分割ガイドの間に前記ガイド間隙が形成されているため、前記ガイド間隙によって前記分割ガイドの上下方向の取付誤差、換言すれば、前記セルガイドの上下方向の取付誤差を吸収することができる。
【０００８】
更に、前記セルガイドは、前記船倉内に多段に載置したときの前記コンテナの継ぎ目から前記ガイド間隙が前記コンテナの継ぎ目から上下に外れた高さ位置に位置するように構成されているため、前記コンテナ船による海上輸送中に、前記コンテナにおけるコンテナ金具が前記ガイド間隙に入り込むことを回避することができる。
【０００９】
また、本発明の第２の特徴は、コンテナ船の船倉内に多段多列に載置したコンテナの位置を保持するコンテナ船のコンテナ保持装置において、
前記船倉内に船軸方向及び船舷方向へ列状に配設され、上下方向へ延びた４本のセルガイドをからそれぞれなって、多段状の前記コンテナにおける８個の隅側のコンテナ金具をそれぞれ上下方向へ案内する多数のセルガイド群を備えており、
各々の前記セルガイドは、上下に分割された複数の分割ガイドからそれぞれなり、各々の前記分割ガイドは、内側に前記コンテナにおける前記コンテナ金具を支持可能な支持面をそれぞれ有してあって、
各々の前記セルガイドにおける上下に隣接する前記分割ガイドの間にガイド間隙がそれぞれ形成され、
前記船倉内に多段多列に前記コンテナを載置したときに、前記ガイド間隙が前記コンテナにおける前記コンテナ金具から上下に外れた高さ位置に位置するように構成されたことである。
【００１０】
本発明の第２の特徴によると、各々の前記セルガイドは、上下に分割された複数の分割ガイドからそれぞれなるため、前記セルガイドを複数に分けることができ、前記分割ガイド単位で前記セルガイドを取り扱うことができる。
【００１１】
また、各々の前記セルガイドにおける上下に隣接する一対の前記分割ガイドの間に前記ガイド間隙がそれぞれ形成されているため、前記ガイド間隙によって前記分割ガイドの上下方向の取付誤差、換言すれば、前記セルガイドの上下方向の取付誤差を吸収することができる。
【００１２】
更に、前記コンテナ保持装置は、前記船倉内に多段多列に前記コンテナを載置したときに、前記ガイド間隙が前記コンテナにおける前記コンテナ金具から上下に外れた高さ位置に位置するように構成されているため、前記コンテナ船による海上輸送中に、前記コンテナにおける前記コンテナ金具が前記ガイド間隙に入り込むことを回避することができる。
【発明の効果】
【００１３】
本発明によれば、前記セルガイドを複数に分けることができ、前記分割ガイド単位で前記セルガイドを取り扱うことができるため、前記セルガイドの搬送、取付等が簡単になって、前記コンテナ船の造船に要する一連の作業の能率の向上を図ることができる。特に、前記ガイド間隙によって前記セルガイドの上下方向の取付誤差を吸収することができるため、前記セルガイドの取付作業の能率がより向上する。
【００１４】
また、前記コンテナ船による海上輸送中に、前記コンテナにおける前記コンテナ金具が前記ガイド間隙に入り込むことを回避することができるため、前記コンテナ保持装置によって前記船倉内に多段多列に積載した前記コンテナの位置を安定して保持することができる。
【発明を実施するための最良の形態】
【００１５】
本発明の実施形態について図１から図４を参照して説明する。
【００１６】
図１は、図３における矢視部Iを示す図であって、図２は、図１におけるII-II線に沿った図であって、図３は、本発明の実施形態に係わるコンテナ船の側面図であって、図４は、図３におけるIV-IV線に沿った図である。なお、図面中、「ＦＦ」は、前方向を指してあって、「ＦＲ」は、後方向を指し、「Ｌ」は、左方向を指し、「Ｒ」は、右方向を指している。
【００１７】
図３及び図４に示すように、本発明の実施形態に係わるコンテナ船１は、多数のコンテナ３を海上輸送するものであって、船体５を具備している。そして、船体５は、船体外殻７と、この船体外殻７の内側に一体的に設けられた船体内殻９とからなっている。
【００１８】
船体内殻９における後部近傍には、機関室１１が設けられており、この機関室１１には、ディーゼルエンジン（図示省略）が配設されている。また、船体外殻７の後部には、推進プロペラ１３が回転可能に設けられており、この推進プロペラ１３は、前記ディーゼルエンジンにおける出力軸（図示省略）に連動連結されてあって、船体外殻７における推進プロペラ１３の後方には、舵１５が設けられている。更に、機関室１１の上側には、複数段の住居室１７が設けられており、最上段の住居室１７の上側には、操舵室１９が設けられている。
【００１９】
船体内殻９には、船舷方向（換言すれば、左右方向）へ延びた複数の横置隔壁２１が船軸方向（換言すれば、前後方向）に間隔を置いて立設されており、複数の横置隔壁２１は、船体内殻９の内側の船体空間を複数の船倉２３に区画するものである。また、船体外殻７の上側には、甲板２５が設けられており、この甲板２５は、複数のハッチ２７（図４中において１つのみ図示、図３中においては図示省略）を船軸方向へ間隔を置いて有してあって、甲板２５には、対応関係にあるハッチ２７を開閉する複数のハッチカバー２９が設けられている。
【００２０】
コンテナ船１には、船倉２３内に多段多列に載置したコンテナ３の位置を保持するコンテナ保持装置（コンテナ船のコンテナ保持装置）３１、及びハッチカバー２９上に多段多列に積載したコンテナ３の位置を保持するコンテナ固縛装置（図示省略）が用いられている。そして、本発明の実施形態の要部に係わるコンテナ保持装置３１の具体的な構成は、次のようになる。なお、前記コンテナ固縛装置の構成は公知であるため、その構成については省略する。
【００２１】
即ち、図１、図２、及び図４に示すように、船倉２３内には、多数のセルガイド群３３Ｇが船軸方向及び船舷方向へ列状に配設されており、多数のセルガイド群３３Ｇは、上下方向へ延びた４本のセルガイド（コンテナ船のセルガイド）３３をからそれぞれなって、多段状のコンテナ（多段に積載されるコンテナ）３における８個の隅側（四隅の上側と下側）のコンテナ金具３ａをそれぞれ上下方向へ案内するものである。ここで、各々のセルガイド３３は、横置隔壁２１の壁面に水平リブ３５によってそれぞれ一体的に接合されてあって、左右に隣接関係になるセルガイド３３は、水平リブ３５によってそれぞれ一体化されている。
【００２２】
そして、各々のセルガイド３３は、上下に分割された一対の分割ガイド３７，３９からそれぞれなっており、分割ガイド３７，３９は、山形鋼からなるものであって、分割ガイド３７，３９の断面形状は、Ｌ型を呈している。また、各々の分割ガイド３７，３９は、内側に、コンテナ３におけるコンテナ金具３ａを支持可能な支持面３７ｆ，３９ｆをそれぞれ有している。更に、各々のセルガイド３３における一方の分割ガイド３７の隣接端側（下端側）には、外方向へＲ状に拡がる拡がり部３７ａが形成されており、各々のセルガイド３３における他方の分割ガイド３９の隣接端側（上端側）には、外方向へＲ状に拡がる拡がり部３９ａが形成されている。なお、各々のセルガイド３３における一方の分割ガイド３７の上端側には、コンテナ３におけるコンテナ金具３ａの案内を容易にするエントリー部３７ｂが形成されている。
【００２３】
各々のセルガイド３３における一対の分割ガイド３７，３９の間には、ガイド間隙４１がそれぞれ形成されており、各々のガイド間隙４１は、コンテナ３におけるコンテナ金具３ａの上下方向の長さよりも短くなるようにそれぞれ構成されている。
【００２４】
更に、各々のセルガイド３３は、船倉２３内に多段に載置したときのコンテナ３の継ぎ目からガイド間隙４１が上下に外れた高さ位置に位置するように構成されている。より具体的には、各々のセルガイド３３は、船倉２３内に多段にコンテナ３を載置したときに、ガイド間隙４１がコンテナ３におけるコンテナ金具３ａから上下に外れた高さ位置に位置するように構成されている。換言すれば、コンテナ保持装置３１は、船倉２３内に多段多列にコンテナ３を載置したときに、ガイド間隙４１がコンテナ３におけるコンテナ金具３ａから上下に外れた高さ位置に位置するように構成されている。
【００２５】
次に、本発明の実施形態の作用について説明する。
【００２６】
各々のセルガイド３３は、上下に分割された一対の分割ガイド３７，３９からそれぞれなるため、セルガイド３３を２つに分けることができ、分割ガイド３７（３９）単位でセルガイド３３を取り扱うことができる。
【００２７】
また、各々のセルガイド３３における一対の分割ガイド３７，３９の間にガイド間隙４１がそれぞれ形成されているため、ガイド間隙４１によって分割ガイド３７，３９の上下方向の取付誤差、換言すれば、セルガイド３３の上下方向の取付誤差を吸収することができる。
【００２８】
更に、コンテナ保持装置３１は、船倉２３内に多段多列にコンテナ３を載置したときに、ガイド間隙４１がコンテナ３におけるコンテナ金具３ａから上下に外れた高さ位置に位置するように構成されているため、コンテナ船１による海上輸送中に、コンテナ３におけるコンテナ金具３ａがガイド間隙４１に入り込むことを回避できる。
【００２９】
また、各々のセルガイド３３における一方の分割ガイド３７の隣接端側及び他方の分割ガイド３９の隣接側に、外方向へＲ状に拡がる拡がり部３７ａ及び拡がり部３９ａがそれぞれ形成されてあって、各々のガイド間隙４１は、コンテナ３におけるコンテナ金具３ａの上下方向の長さよりも短くなるようにそれぞれ構成されているため、コンテナ３を船倉２３内に荷降ろしたり、船倉２３内から荷揚げたりする際に、コンテナ３におけるコンテナ金具３ａがガイド間隙４１に引っ掛かることを回避できる。
【００３０】
以上の如き、本発明の実施形態によれば、セルガイド３３を２つに分けることができ、分割ガイド３７（３９）単位でセルガイド３３を取り扱うことができるため、セルガイド３３の搬送、取付等が簡単になって、コンテナ船１の造船（製造）に要する一連の作業の能率の向上を図ることができる。特に、ガイド間隙４１によってセルガイド３３の上下方向の取付誤差を吸収することができるため、セルガイド３３の取付作業の能率がより向上する。
【００３１】
また、コンテナ船１による海上輸送中に、コンテナ３におけるコンテナ金具３ａがガイド間隙４１に入り込むことを回避することができるため、コンテナ保持装置３１によって船倉２３内に多段多列に積載したコンテナ３の位置を安定して保持することができる。
【００３２】
更に、コンテナ３を船倉２３内に荷降ろしたり、船倉２３内から荷揚げたりする際に、コンテナ３におけるコンテナ金具３ａがガイド間隙４１に引っ掛かることを回避できるため、コンテナ３の荷降ろし作業、荷揚げ作業の能率が向上する。
【００３３】
なお、本発明は、実施形態の説明に限るものではなく、例えば、各々のセルガイド３３は、一対の分割ガイド３７，３９からそれぞれなる代わりに、３つ以上の分割ガイドからそれぞれなるようにしても差し支えない。また、本発明に包含される権利範囲は、前述の実施形態の説明に限定されないものである。
【図面の簡単な説明】
【００３４】
【図１】図３における矢視部Iを示す図である。
【図２】図１におけるII-II線に沿った図である。
【図３】本発明の実施形態に係わるコンテナ船の側面図であって、一部を破断してある。
【図４】図３におけるIV-IV線に沿った図である。
【符号の説明】
【００３５】
１          コンテナ船
３          コンテナ
３ａ        コンテナ金具
２３          船倉
３１          コンテナ保持装置
３３Ｇ        セルガイド群
３３          セルガイド
３７          分割ガイド
３９          分割ガイド
４１          ガイド間隙
【図１】
2006188084.tif 000003
【図２】
2006188084.tif 000004
【図３】
2006188084.tif 000005
【図４】
2006188084.tif 000006